(57)【要約】【課題】１つの振動モータにより複雑な振動を発生させることができ、肌の汚れ等を効率よく除去することができる美容器を提供する。【解決手段】美容器１は、本体部２と、本体部２の外側に配置されたブラシ部３とを有している。また、美容器１は、偏心錘４１を備えた回転軸４２を有する振動モータ４と、振動モータ４を保持するモータ保持部５と、本体部２に対してモータ保持部５を相対的に変位可能な状態で連結する連結部１１と、モータ保持部５から延設され、ブラシ部３に接続されるブラシ取り付け部６とを有している。ブラシ取り付け部６は、振動モータ４における回転軸４２の軸心方向４２０と異なる方向に延設されている。【選択図】図６
2017217209.tif 000002
【特許請求の範囲】
【請求項１】
本体部と、該本体部の外側に配置されたブラシ部とを有する美容器であって、
上記本体部内に配置され、偏心錘を備えた回転軸を有する振動モータと、
該振動モータを保持するモータ保持部と、
上記本体部内に配置され、上記本体部に対して上記モータ保持部を相対的に変位可能な状態で連結する連結部と、
上記モータ保持部から延設され、上記ブラシ部に接続されるブラシ取り付け部とを有し、
上記ブラシ取り付け部は、上記振動モータにおける上記回転軸の軸心方向と異なる方向に延設されている、美容器。
【請求項２】
上記連結部は、上記本体部と上記モータ保持部との間に介在させた弾性部材を有している、請求項１に記載の美容器。
【請求項３】
上記連結部は、上記本体部または上記モータ保持部のいずれか一方に設けられたガイド棒と、他方に保持された上記弾性部材とを有しており、上記ガイド棒は、上記弾性部材を貫通している、請求項２に記載の美容器。
【請求項４】
上記ブラシ取り付け部は、上記振動モータにおける上記回転軸の軸心方向に対して略直角方向に延設されている、請求項１〜３のいずれか１項に記載の美容器。
【請求項５】
上記美容器は、複数の上記連結部を有している、請求項１〜４のいずれか１項に記載の美容器。
【請求項６】
複数の上記連結部のうち一部の上記連結部は、上記振動モータの重心に対して上記回転軸の軸心方向における一方側に配置されており、残りの上記連結部は他方側に配置されている、請求項５に記載の美容器。
【請求項７】
上記美容器は、３箇所の連結部を有している、請求項５または６に記載の美容器。
【請求項８】
３箇所の上記連結部のうち２箇所の上記連結部は、上記振動モータの重心に対して上記回転軸の軸心方向における一方側に配置されており、残る１箇所の上記連結部は他方側に配置されている、請求項７に記載の美容器。
【請求項９】
上記ブラシ部は、上記ブラシ取り付け部の延設方向に沿って延びた多数の繊維を有している、請求項１〜８のいずれか１項に記載の美容器。
【請求項１０】
上記ブラシ取り付け部は、該ブラシ取り付け部を回転中心とする上記ブラシ部の回転運動を規制する回転規制部を有している、請求項１〜９のいずれか１項に記載の美容器。
【請求項１１】
上記振動モータは、シリンダ型の振動モータである、請求項１〜１０のいずれか１項に記載の美容器。
【請求項１２】
上記ブラシ部は、多数の繊維からなるブラシ本体と、該ブラシ本体を保持するブラシホルダーと、該ブラシホルダーの外表面に配置されたブラシ電極とを有しており、上記本体部は、内部に収容された電流生成部と、外表面に配置された本体電極とを有しており、上記ブラシ電極と上記本体電極とが上記電流生成部を介して電気的に接続されている、請求項１〜１１のいずれか１項に記載の美容器。
【請求項１３】
上記本体部は棒状を呈しており、上記振動モータ及び上記モータ保持部は上記本体部の長手方向における端部に収容されている、請求項１〜１２のいずれか１項に記載の美容器。
【請求項１４】
上記ブラシ部は、上記本体部の側周面に配置されている、請求項１３に記載の美容器。
【発明の詳細な説明】
【技術分野】
【０００１】
本発明は、美容器に関する。
【背景技術】
【０００２】
洗顔の際、肌の表面や毛穴の内部に付着した汚れ等を除去することを目的として、毛先を微細に振動させることができるように構成された洗顔ブラシが用いられることがある。この種の洗顔ブラシに適用される振動体駆動装置として、本体部と、本体部に支持される振動体とを備えた振動体駆動装置が提案されている（特許文献１）。この装置の本体部には、振動部としての振動モータと、振動部で発生させた振動を振動体としてのブラシ体に伝達する振動伝達軸とが設けられている。振動部と振動伝達軸とは、本体部の内フレームに固定されている。
【０００３】
また、洗顔ブラシとは用途や構成が異なるものの、ヘアブラシの分野において、ブラシを振動させる技術が提案されている（特許文献２）。特許文献２のヘアブラシは、髪の毛のほぐしやすさを改善するために、ブラシ毛を頭皮と平行な方向に振動させることを図っている。
【先行技術文献】
【特許文献】
【０００４】
【特許文献１】特開２０１５−２１３５５７号公報
【特許文献２】特許第５４１９２８０号
【発明の概要】
【発明が解決しようとする課題】
【０００５】
しかし、特許文献１の振動体駆動装置は、本体ケースの中心軸と平行な軸まわりの振動を発生させる第１振動モータと、中心軸と直交する軸周りの振動を発生させる第２振動モータとの２つの振動モータを有している。そのため、部品点数の増加やコストの増大などの問題を招くおそれがある。
【０００６】
また、特許文献２のヘアブラシは、使用者に不快感を与えることを回避する観点から、ブラシ毛が伸びている方向へのブラシの振動を積極的に排除している。しかし、この技術をそのまま洗顔ブラシに適用した場合、毛穴の内部の汚れ等を効率よく除去することが難しい。
【０００７】
本発明は、かかる背景に鑑みてなされたものであり、１つの振動モータにより複雑な振動を発生させることができ、肌の汚れ等を効率よく除去することができる美容器を提供しようとするものである。
【課題を解決するための手段】
【０００８】
本発明の一態様は、本体部と、該本体部の外側に配置されたブラシ部とを有する美容器であって、
上記本体部内に配置され、偏心錘を備えた回転軸を有する振動モータと、
該振動モータを保持するモータ保持部と、
上記本体部内に配置され、上記本体部に対して上記モータ保持部を相対的に変位可能な状態で連結する連結部と、
上記モータ保持部から延設され、上記ブラシ部に接続されるブラシ取り付け部とを有し、
上記ブラシ取り付け部は、上記振動モータにおける上記回転軸の軸心方向と異なる方向に延設されている、美容器にある。
【発明の効果】
【０００９】
上記美容器における上記本体部内には、上記振動モータ、上記モータ保持部及び上記連結部が配置されている。また、上記モータ保持部は、上記本体部に対して、上記連結部を介して相対的に変位可能な状態で連結されている。そのため、上記本体部に対する上記モータ保持部の相対的な位置を、上記本体部から強く拘束されることなく比較的自由に変化させることができる。それ故、上記美容器は、上記振動モータの振動を、上記モータ保持部及びこれから延設された上記ブラシ取り付け部に効率よく伝達することができる。
【００１０】
また、上記ブラシ取り付け部は、上記振動モータにおける上記回転軸の軸心方向と異なる方向に延設されている。そのため、上記振動モータにより付与される上記ブラシ取り付け部の振動は、上記回転軸の軸心方向への変位と、この軸心方向に直交する任意の方向への変位とを組み合わせた複雑な変位を含むものとなる。そして、この振動が上記ブラシ取り付け部を介して上記ブラシ部に効率よく伝わることにより、毛穴の深さ方向への変位と、この方向に直交する任意の方向への変位とを組み合わせた複雑な変位を伴う振動を上記ブラシ部の毛先に付与することができる。その結果、上記ブラシ部により、肌の表面や毛穴の内部に付着している汚れ等を効率よく除去することができる。
【図面の簡単な説明】
【００１１】
【図１】実施例１における、美容器の斜視図である。
【図２】実施例１における、美容器の下面図である。
【図３】実施例１における、美容器の側面図である。
【図４】実施例１における、美容器の部品展開図である。
【図５】実施例１における、美容器のヘッド部にモータ保持部を取り付けた状態の上面図である。
【図６】図５のVI−VI線一部矢視断面図である。
【図７】図６の要部を拡大した図である。
【図８】実施例１における、モータベースの側面図である。
【図９】実施例１における、モータ保持部の上面図である。
【図１０】図９のX−X線矢視断面図である。
【図１１】実施例１における、弾性部材の斜視図である。
【図１２】実施例１における、ブラシホルダーの下面図である。
【図１３】実施例１における、（ａ）モータ保持部の回転運動、（ｂ）この回転運動に応じたブラシ部の毛先の動きの一例を示す前面図である。
【図１４】実施例１における、（ａ）モータ保持部の傾き、（ｂ）この傾きに応じたブラシ部の毛先の動きの一例を示す側面図である。
【図１５】実施例１の美容器を充電するための充電台の正面図である。
【図１６】図１５のXVI−XVI線断面図である。
【図１７】実施例２における、弾性部材の上面図である。
【図１８】図１７のXVIII−XVIII線矢視断面図である。
【図１９】実施例３における、充電台の正面図である。
【図２０】実施例３における、充電台の側面図である。
【図２１】図１９のXXI−XXI線矢視断面図である。
【発明を実施するための形態】
【００１２】
上記美容器において、連結部としては、種々の構造を採用することができる。例えば、連結部は、本体部またはモータ保持部のいずれか一方に設けた係合部と、他方に設けた被係合部とを有し、係合部と被係合部とを相対的に変位可能な状態で係合させた構成とすることができる。
【００１３】
より具体的には、連結部として、本体部またはモータ保持部のいずれか一方に設けたピンと、他方に設けたリングとを備えた構成を採用することができる。この場合、ピンとリングとの間に適切なクリアランスを設け、ピンに対して摺動可能な状態でリングにピンを挿通させることにより、本体部に対してモータ保持部を相対的に変位可能な状態で連結することができる。
【００１４】
また、連結部としては、本体部またはモータ保持部のいずれか一方に設けた突起部と、他方に設けた凹部とを備えた、いわゆるスナップフィット構造を採用することもできる。この場合、突起部と凹部との間に適切なクリアランスを設け、凹部との間に遊びがある状態で突起部を凹部に収容することにより、上記本体部に対して上記モータ保持部を相対的に変位可能な状態で連結することができる。
【００１５】
連結部の構成は上述した例に限定されるものではなく、本体部に対してモータ保持部を相対的に変位させることができれば、種々の構成を採用することができる。
【００１６】
連結部は、本体部とモータ保持部との間に介在させた弾性部材を有していてもよい。この場合には、振動モータを振動させた際にモータ保持部が弾性部材から反発力を受けるため、ブラシ取り付け部により効率よく振動を伝達することができる。その結果、ブラシ取り付け部の振幅をより大きくすることができ、ひいては肌の表面や毛穴の内部に付着している汚れをより効率よく除去することができる。
【００１７】
上述した「弾性部材」としては、振動モータから生じる振動に伴って容易に弾性変形可能な材質から構成されている部材を採用することができる。弾性部材としては、具体的には、天然ゴム、合成ゴム及び熱可塑性エラストマー等の公知のエラストマーからなる部材及び金属ばねや樹脂ばね等の公知のばね等を採用することができる。
【００１８】
また、弾性部材は、振動モータの振動と共振することができるように構成されていることが好ましい。この場合には、振動モータを振動させた際に、その振動をブラシ取り付け部により効率よく伝達することができる。その結果、ブラシ取り付け部の振幅をより大きくすることができ、ひいては肌の表面や毛穴の内部に付着している汚れをより効率よく除去することができる。
【００１９】
連結部が弾性部材を有している場合、連結部は、本体部またはモータ保持部のいずれか一方に設けられたガイド棒と、他方に保持された弾性部材とを有しており、ガイド棒は、弾性部材を貫通していることが好ましい。この場合には、モータ保持部及びこれに連なるブラシ取り付け部が、ガイド棒に沿って比較的自由に移動することができる。そのため、ガイド棒に沿う方向へのブラシ取り付け部の振幅をより大きくすることができ、ひいては当該方向へのブラシ部の毛先の振幅をより大きくすることができる。また、この場合には、美容器の組み立てをより容易に行うことができる。
【００２０】
ブラシ取り付け部は、振動モータにおける回転軸の軸心方向に対して略直角方向に延設されていることが好ましい。この場合には、上記ブラシ取り付け部の振動における、上記軸心方向に直交する任意の方向への振幅をより大きくすることができる。そして、この振動がブラシ部の毛先に伝わることにより、ブラシ部の毛先を、毛穴の深さ方向により大きく振動させることができる。そのため、毛穴の内部に付着している汚れ等をより効率よく除去することができる。
【００２１】
また、この場合には、ブラシ取り付け部の振動における、上記軸心方向への振幅が過度に大きくなることを抑制することができる。その結果、ブラシ部の毛先と肌の表面との摩擦をより軽減することができる。
【００２２】
上述した「ブラシ取り付け部が振動モータにおける回転軸の軸心方向に対して略直角方向に延設されている」状態には、ブラシ取り付け部の延設方向が、回転軸の軸心方向に対して幾何学上の直角方向である状態と、回転軸の軸心方向に対して幾何学上の直角方向から若干傾いている状態とが含まれる。より具体的には、ブラシ取り付け部の延設方向と回転軸の軸心方向とのなす角度が７５〜１１５°であれば、上述した作用効果を十分に奏することができる。
【００２３】
また、ブラシ取り付け部の延設方向と回転軸の軸心方向とのなす角度が９０°に近くなるほど、毛穴の深さ方向へのブラシの振幅を大きくすることができる。かかる観点からは、ブラシ取り付け部の延設方向と回転軸の軸心方向とのなす角度を８０〜１１０°にすることが好ましく、８５〜９５°にすることがより好ましく、８８〜９２°にすることが更に好ましい。
【００２４】
ブラシ取り付け部には、ブラシ部が接続されている。ブラシ部は、ブラシ取り付け部の延設方向に沿って延びた多数の繊維を有していることが好ましい。この場合には、ブラシ取り付け部の振動を効率よくブラシ部の毛先に伝達することができる。その結果、肌の表面や毛穴の内部に付着している汚れ等をより効率よく除去することができる。
【００２５】
ブラシ取り付け部は、これを回転中心とするブラシ部の回転運動を規制する回転規制部を有していてもよい。この場合には、ブラシ部の回転運動に伴って肌が擦られることを防止することができる。その結果、美容器の使用中における肌への刺激をより低減することができる。
【００２６】
美容器は、複数の連結部を有していてもよい。この場合には、振動モータやモータ保持部の自重により連結部１箇所当たりに加わる荷重を軽減することができる。そのため、連結部の構造をより簡素にすることができ、ひいては美容器をより容易に軽量化することができる。
【００２７】
美容器が複数の連結部を有している場合、複数の連結部のうち一部の連結部は、振動モータの重心に対して回転軸の軸心方向における一方側に配置されており、残りの連結部は他方側に配置されていることが好ましい。この場合には、ブラシ取り付け部の振動における、上記軸心方向への変位と、この軸心方向に直交する任意の方向への変位とをバランスよく大きくすることができる。その結果、肌の表面や毛穴の内部に付着している汚れ等をより効率よく除去することができる。
【００２８】
美容器は、３箇所の連結部を有していることが好ましい。この場合には、ブラシ取り付け部の振動における、上記軸心方向への変位と、この軸心方向に直交する任意の方向への変位とをバランスよく大きくすることができる。その結果、肌の表面や毛穴の内部に付着している汚れ等をより効率よく除去することができる。
【００２９】
また、美容器が３箇所の連結部を有している場合、そのうちの２箇所の連結部は、振動モータの重心に対して回転軸の軸心方向における一方側に配置されており、残る１箇所の連結部は他方側に配置されていることがさらに好ましい。この場合には、ブラシ取り付け部の振動における、上記軸心方向への変位と、この軸心方向に直交する任意の方向への変位とをバランスよく大きくすることができる。その結果、肌の表面や毛穴の内部に付着している汚れ等をさらに効率よく除去することができる。
【００３０】
モータ保持部に保持される振動モータとしては、例えば、シリンダ型やコイン型等の公知の振動モータを採用することができる。振動モータとしては、シリンダ型の振動モータが好ましい。この場合には、ブラシ取り付け部の振動における、上記軸心方向への変位と、この軸心方向に直交する任意の方向への変位とをバランスよく大きくすることができる。その結果、肌の表面や毛穴の内部に付着している汚れ等をより効率よく除去することができる。
【００３１】
上記ブラシ部は、多数の繊維からなるブラシ本体と、該ブラシ本体を保持するブラシホルダーと、該ブラシホルダーの外表面に配置されたブラシ電極とを有しており、上記本体部は、内部に収容された電流生成部と、外表面に配置された本体電極とを有しており、上記ブラシ電極と上記本体電極とが上記電流生成部を介して電気的に接続されていてもよい。
【００３２】
このように構成された美容器においては、使用者が本体電極を把持するとともに、ブラシ電極と肌との間に導電性を有する液状や泡状などの洗浄剤を介在させることにより、使用者、ブラシ電極、電流生成部及び本体電極を含む閉回路を形成することができる。そして、この閉回路に微弱な電流を流すことにより、電荷を有する汚れ成分を肌からより容易に除去する、あるいは、電荷を帯びた美容成分を肌に浸透させるなどの効果を得ることができる。
【００３３】
例えば、肌に付着している汚れ成分等は、負電荷を有していることが多い。そのため、ブラシ電極が正極となり、本体電極が負極となるようにして上記閉回路に微弱な電流を流すことにより、これらの汚れ成分等をより容易に除去することができる。
【００３４】
また、洗浄剤中に電荷を帯びた美容成分が含まれている場合には、当該美容成分が肌へ浸透するような微弱電流を上記閉回路に流すことにより、美容成分の肌内部への浸透を促進することができる。例えば、ビタミンＣ誘導体等の美容成分は、電離することにより負電荷を帯びる。そのため、ブラシ電極が負極となり、本体電極が正極となるようにして上記閉回路に微弱な電流を流すことにより、肌内部への浸透をより促進することができる。
【００３５】
美容器の本体部は棒状を呈しており、振動モータ及びモータ保持部は本体部の長手方向における端部に収容されていてもよい。この場合には、使用者が本体部を容易に把持することができる。これにより、美容器の使い勝手をより向上させることができる。
【００３６】
また、ブラシ部は、本体部の側周面に配置されていてもよい。この場合には、使用者がブラシ部の毛先を容易に肌に当接させることができる。これにより、美容器の使い勝手をより向上させることができる。
【実施例】
【００３７】
（実施例１）
上記美容器の実施例について、図を用いて説明する。図１〜図３に示すように、美容器１は、本体部２と、本体部２の外側に配置されたブラシ部３とを有している。また、美容器１は、図６に示すように、偏心錘４１を備えた回転軸４２を有する振動モータ４と、振動モータ４を保持するモータ保持部５と、本体部２に対してモータ保持部５を相対的に変位可能な状態で連結する連結部１１（１１ａ、１１ｂ）と、モータ保持部５から延設され、ブラシ部３に接続されるブラシ取り付け部６とを有している。そして、図６に示すように、ブラシ取り付け部６は、振動モータ４における回転軸４２の軸心方向４２０と異なる方向に延設されている。
【００３８】
図１〜図３に示すように、美容器１の本体部２は棒状を呈している。図４〜図６に示すように、振動モータ４及びモータ保持部５は本体部２の長手方向における端部に収容されている。なお、図４〜図６においては、簡略化のため、ネジや電線等の接続部品の記載を一部省略している。
【００３９】
図５及び図６に示すように、振動モータ４の回転軸４２は、本体部２の長手方向に沿って伸びている。また、図６に示すように、ブラシ取り付け部６は、振動モータ４における回転軸４２の軸心方向４２０に対して直角方向に延設されている。ブラシ取り付け部６は、本体部２の外部まで延設されている。また、ブラシ取り付け部６の先端には、ブラシ部３が着脱可能に取り付けられている。
【００４０】
図１〜図３に示すように、本例のブラシ部３は、本体部２の側周面に配置されている。また、本例のブラシ部３は、ブラシ取り付け部６の延設方向に沿って延びた多数の繊維を有している。
【００４１】
以下において、振動モータ４における回転軸４２の軸心方向４２０を「前後方向Ｘ」、前後方向Ｘにおける振動モータ４が収容されている側を「前方Ｘ１」、その反対側を「後方Ｘ２」ということがある。また、ブラシ取り付け部６の延設方向を「上下方向Ｚ」、上下方向Ｚにおけるブラシ部３側を「下方Ｚ２」、その反対側を「上方Ｚ１」ということがある。また、前後方向Ｘ及び上下方向Ｚの両方に直交する方向を「幅方向Ｙ」ということがある。美容器１の方向に関するこれらの記載はいずれも便宜上のものであり、美容器１を実際に使用する際の向きとは何ら関係がない。
【００４２】
本例の美容器１において、前後方向Ｘにおける本体部２の断面形状は略楕円状を呈している。また、図２及び図３に示すように、前後方向Ｘにおける本体部２の中央部２０は、両端部に比べてわずかに細くなっている。
【００４３】
図４に示すように、本体部２は、ブラシ取り付け部６が突出している下側ハウジング２１と、ネジ２２１（図６参照）を介して下側ハウジング２１に締結される中間ハウジング２２と、中間ハウジング２２に係合される上側ハウジング２３とを有している。図１〜図３に示すように、下側ハウジング２１は、本体部２の下側半分の外壁を構成している。また、上側ハウジング２３は、本体部２の上側半分の外壁を構成している。
【００４４】
本体部２の外表面における、下側ハウジング２１と上側ハウジング２３との間には、中間ハウジング２２の外周端縁が露出している。下側ハウジング２１、中間ハウジング２２及び上側ハウジング２３は、ＡＢＳ樹脂より構成されている。また、中間ハウジング２２の表面には、導電性を有するめっき膜が形成されている。
【００４５】
図６に示すように、下側ハウジング２１と中間ハウジング２２との間には、美容器１を動作させるための部品を収容する中空部２５が形成されている。図４〜図６に示すように、下側ハウジング２１の外周端縁と中間ハウジング２２の外周端縁との間には、Ｏリング２１１が狭持されている。また、図６に示すように、中間ハウジング２２と、これを下側ハウジング２１に締結するネジ２２１との間にもＯリング２２２が狭持されている。美容器１は、これらのＯリング２１１、２２２により、下側ハウジング２１と中間ハウジング２２との間から中空部２５内への水分等の浸入を防止することができるように構成されている。
【００４６】
図６に示すように、下側ハウジング２１は、ブラシ取り付け部６が突出している開口部２１２の周囲に、ブラシ収容壁部２１４を有している。ブラシ収容壁部２１４は、下側ハウジング２１から下方Ｚ２に向かって立設されている。また、ブラシ収容壁部２１４の内側には、ブラシ部３が着脱可能に取り付けられている。
【００４７】
また、図４に示すように、下側ハウジング２１は、前方Ｘ１の端部に、３本のガイド棒２４を有している。ガイド棒２４は、上方Ｚ１に向かって立設されている。また、ガイド棒２４の上端部には、Ｅリング２４１（図５及び図７参照）を取り付けるための係止溝２４２（図７参照）が形成されている。
【００４８】
図６に示すように、モータ保持部５は、ガイド棒２４に取り付けられるモータベース５１と、モータベース５１との間に振動モータ４を保持するモータカバー５２とを有している。図８〜図１０に示すように、モータベース５１は、板状部５１１と、板状部５１１から上方Ｚ１に向かって突出したモータ受け部５１２とを有している。本例の板状部５１１及びモータ受け部５１２は、ＡＢＳ樹脂から構成されている。
【００４９】
板状部５１１は、３箇所の貫通孔５１３（図１０参照）を有している。また、図７、図９及び図１０に示すように、貫通孔５１３には、弾性部材５３が上下方向Ｚの両側から取り付けられている。
【００５０】
本例の弾性部材５３は、スチレンゴムから構成されている。弾性部材５３は、図１１に示すように、ガイド棒２４が挿通される挿通孔５３１を備え、円盤状を呈するゴム基部５３２と、挿通孔５３１の周囲に立設された４箇所の突起５３３とを有している。各突起５３３の幅は、隣り合う突起５３３間の間隔と略同一となっている。
【００５１】
図１０に示すように、貫通孔５１３内においては、一対の弾性部材５３（５３ａ、５３ｂ）のうち一方の弾性部材５３ａにおける隣り合う突起５３３ａの間に他方の弾性部材５３ｂの突起５３３ｂが挿入されている。また、板状部５１１は、一対のゴム基部５３２（５３２ａ、５３２ｂ）の間に挟持されている。
【００５２】
図５〜図７に示すように、弾性部材５３には、下側ハウジング２１のガイド棒２４が挿通されている。また、図６及び図７に示すように、ガイド棒２４は、弾性部材５３の上端面よりも上方Ｚ１に突出している。図７に示すように、この突出部分には、Ｅリング２４１を取り付ける係止溝２４２が形成されている。
【００５３】
図５及び図７に示すように、係止溝２４２にＥリング２４１を取り付けることにより、下側ハウジング２１に対してモータベース５１を相対的に変位可能な状態で連結することができる。このように、本例の連結部１１は、モータベース５１の板状部５１１に保持された弾性部材５３と、下側ハウジング２１に設けられたガイド棒２４と、係止溝２４２に取り付けられたＥリング２４１とから構成されている。また、本例の美容器１は、３箇所の連結部１１を有している。各連結部１１は、本体部２に設けられたガイド棒２４と、モータベース５１に保持された弾性部材５３とを有しており、ガイド棒２４は、弾性部材５３を貫通している。
【００５４】
モータカバー５２は、図５に示すネジ５２１によりモータ受け部５１２に締結されている。モータカバー５２とモータ受け部５１２との間には、振動モータ４が狭持されている。なお、本例のモータカバー５２は、ＡＢＳ樹脂から構成されている。
【００５５】
本例の振動モータ４は、シリンダ型の振動モータ４である。振動モータ４は、回転軸４２の軸心方向４２０が本体部２の長手方向に沿うように配置されている。また、振動モータ４の偏心錘４１は、前後方向Ｘにおける前方Ｘ１側に配置されている。
【００５６】
図５及び図６に示すように、３箇所の連結部１１（１１ａ、１１ｂ）のうち２箇所の連結部１１ａは、振動モータ４の重心４０に対して回転軸４２の軸心方向４２０における前方Ｘ１側に配置されており、残る１箇所の連結部１１ｂは後方Ｘ２側に配置されている。
【００５７】
図９に示すように、ブラシ取り付け部６は、上面視において、３箇所の貫通孔５１３の中央に設けられている。図１０に示すように、ブラシ取り付け部６は、板状部５１１と一体に形成された筒状部６１と、筒状部６１を上下方向Ｚに貫通するシャフト６２とを有している。図６に示すように、筒状部６１の下方Ｚ２の端部は、下側ハウジング２１の開口部２１２を介して本体部２の外側まで延設されている。
【００５８】
また、開口部２１２における下側ハウジング２１と筒状部６１との間は、シール部材２１３により塞がれている。このシール部材２１３により、開口部２１２から中空部２５内への水分等の浸入を防止することができる。なお、本例のシール部材２１３は、ニトリルゴムから構成されている。
【００５９】
本例のシャフト６２は、金属から構成されている。図６に示すように、シャフト６２の上方Ｚ１の端部は、中空部２５内まで延設されている。また、シャフト６２の上端面には、シャフト６２と電流生成部１２（後述）とを電気的に接続するためのネジ孔６２１（図７及び図１０参照）が設けられている。図８及び図１０に示すように、シャフト６２の下方Ｚ２の端部は、筒状部６１よりも下方Ｚ２に突出している。図８に示すように、この突出部分は、六角柱状を呈する回転規制部６２２と、回転規制部６２２から下方Ｚ２に突出したブラシ係合部６２３とを有している。ブラシ係合部６２３には、ブラシ部３を係合させるための溝部６２４が設けられている。
【００６０】
図６に示すように、ブラシ部３は、多数の繊維からなるブラシ本体３１と、ブラシ本体３１を保持するブラシホルダー３２とを有している。ブラシ本体３１の繊維は、上下方向Ｚ、即ち、ブラシ取り付け部６の延設方向に沿って延びている。
【００６１】
図１２に示すように、ブラシホルダー３２は、カップ状を呈するホルダー本体部３２１と、下面視におけるホルダー本体部３２１の中央に配置されたばねカバー３２２（図６参照）と、ホルダー本体部３２１とばねカバー３２２との間に保持されたブラシ装着ばね３２３とを有している。図４及び図１２に示すように、ホルダー本体部３２１の中央には、シャフト６２における回転規制部６２２（図８参照）の形状に対応した六角形の貫通孔３２４が形成されている。この貫通孔３２４に回転規制部６２２を挿入するとともに溝部６２４内にブラシ装着ばね３２３を係合させることにより、ブラシ部３を着脱可能に装着することができる。また、貫通孔３２４に回転規制部６２２を挿入することにより、ブラシ部３が装着された状態において、ブラシ取り付け部６を回転中心とするブラシ部３の回転運動を規制することができる。
【００６２】
本例の美容器１において振動モータ４の偏心錘４１を回転させると、その慣性により、振動モータ４が振動する。そして、振動モータ４の振動に伴って、モータ保持部５に微小な変位や傾きが発生する。モータ保持部５の変位や傾きの方向は、振動モータ４の回転数や、モータ保持部５等の具体的な形状等によって種々の方向に変化する。
【００６３】
例えば図１３（ａ）に示すように、モータ保持部５は、偏心錘４１の慣性によって、前後方向Ｘに延びた中心軸Ｃ１の周りを回転することがある（矢印Ａ１）。この回転運動がブラシ取り付け部６を介してブラシ部３に伝わると、図１３（ｂ）に示すように、ブラシ本体３１の毛先３１１が前後方向Ｘに延びた中心軸Ｃ２の周りを回転する（矢印Ａ２）。その結果、ブラシ本体３１の毛先３１１に、幅方向Ｙへの変位及び上下方向Ｚへの変位を伴う振動が付与される。
【００６４】
また、本例においては、偏心錘４１の回転中心の位置と、振動モータ４の重心とが前後方向Ｘにおいて異なっている。そのため、偏心錘４１の回転に伴って幅方向Ｙに延びた中心軸周りの回転モーメントが生じ、図１４（ａ）に示すように、モータ保持部５が前後方向Ｘに傾くことがある（矢印Ｂ１）。この傾きがブラシ取り付け部６を介してブラシ部３に伝わると、図１４（ｂ）に示すように、ブラシ本体３１の毛先３１１に前後方向Ｘへの変位及び上下方向Ｚへの変位を伴う振動が付与される（矢印Ｂ２）。
【００６５】
図１３及び図１４に示したブラシ本体３１の毛先３１１の動きは一例であり、モータ保持部５が種々の方向に振動し、あるいは傾くことにより、前後方向Ｘ、幅方向Ｙ及び上下方向Ｚへの変位を組み合わせた複雑な変位を伴う振動をブラシ本体３１の毛先３１１に付与することができる。
【００６６】
次に、本例の美容器１のその他の部分についてより詳細に説明する。図４及び図６に示すように、下側ハウジング２１と中間ハウジング２２との間の中空部２５には、電流生成部１２及び受電コイル部１３が収容されている。電流生成部１２は、振動モータ４の駆動を制御する制御基板１２１と、制御基板１２１及び振動モータ４に電力を供給する電源部１２２とを有している。制御基板１２１と電源部１２２とは互いに係合されており、前後方向Ｘにおける美容器１の中央部に配置されている。制御基板１２１は、振動モータ４、電源部１２２及び受電コイル部１３のそれぞれと、図示しない電線を介して電気的に接続されている。
【００６７】
本例の電源部１２２は、二次電池である。受電コイル部１３は、前後方向Ｘにおける後方Ｘ２の端部に配置されている。受電コイル部１３は、美容器１の外部に配置した送電コイルから送信された電力を受信することができるように構成されている。受電コイル部１３が受信した電力は、制御基板１２１を介して電源部１２２に充電される。
【００６８】
より具体的には、本例の美容器１は、図１５及び図１６に示す充電台７を用いて充電することができる。充電台７は、図１６に示すように、美容器１の後方端部１７、即ち受電コイル部１３が内蔵されている側の端部の形状に対応する凹部７１を有しており、凹部７１内に美容器１の後方端部１７を差し込むことができるように構成されている。また、充電台７の内部には、送電コイル７２が収容されている。送電コイル７２は、美容器１の後方端部１７が凹部７１内に差し込まれた状態において、充電台７の壁部７１１及び下側ハウジング２１（図示略）を介して受電コイル部１３と対面する位置に配置されている。
【００６９】
また、本例の美容器１は、使用時に肌に微弱な電流を流すことにより、電荷を有する汚れ成分等をより効率よく除去することができるように構成されている。即ち、図３、図４及び図６に示すように、本例のブラシ部３は、多数の繊維からなるブラシ本体３１と、ブラシ本体３１を保持するブラシホルダー３２と、ブラシホルダー３２の外表面に配置されたブラシ電極３２５とを有している。また、図４に示すように、本体部２は、内部に収容された電流生成部１２と、外表面に配置された本体電極１４とを有している。そして、ブラシ電極３２５と本体電極１４とが電流生成部１２を介して電気的に接続されている。
【００７０】
本例のブラシ電極３２５は、導電性を有するめっき膜から構成されている。ブラシ電極３２５は、ホルダー本体部３２１の表面に設けられており、ブラシ装着ばね３２３を介してブラシ取り付け部６のシャフト６２と電気的に接続されている。また、シャフト６２の上方Ｚ１の端部に設けられたネジ孔６２１には、制御基板１２１から延設された電線の端子１２３（図５、図７参照）がネジにより締結されている。これにより、ブラシ電極３２５と電流生成部１２とが電気的に接続されている。
【００７１】
また、本例の本体電極１４は、導電性を有するめっき膜から構成されている。本体電極１４は、中間ハウジング２２の表面に設けられており、図１及び図３に示すように、本体部２の外表面における下側ハウジング２１と上側ハウジング２３との間に露出している。また、本体電極１４は、中空部２５の内部において、制御基板１２１から上方Ｚ１に向かって立設された通電ばね１２４（図４〜図６参照）に当接している。これにより、本体電極１４と電流生成部１２とが電気的に接続されている。
【００７２】
本例の美容器１は、下面視における下側ハウジング２１の中央部に配置されたスイッチプレート１５（図２及び図３参照）を介して制御基板１２１の切り替えスイッチ（図示略）を押し込むことにより、振動モータ４のオン状態とオフ状態との切り替え、及び、ブラシ電極３２５と本体電極１４とを介して肌に流す微弱電流の発生と停止との切り替えを行うことができるように構成されている。
【００７３】
また、図６に示すように、下側ハウジング２１におけるブラシ収容壁部２１４の内側には、発光モジュール１６が配置されている。発光モジュール１６は、図示しない電線を介して制御基板１２１に電気的に接続されている。また、発光モジュール１６は、振動モータ４がオン状態になっているときに発光するように構成されている。
【００７４】
発光モジュール１６の下方Ｚ２は、蓋部１６１により覆われている。蓋部１６１とブラシ収容壁部２１４との間には、Ｏリング１６２が狭持されている。これにより、蓋部１６１とブラシ収容壁部２１４との間から発光モジュール１６側に水分等が浸入することを防止できる。
【００７５】
次に、本例の作用効果を説明する。図６に示すように、美容器１においては、振動モータ４を保持するモータ保持部５が、本体部２に対して、連結部１１を介して相対的に変位可能な状態で連結されている。そのため、本体部２に対するモータ保持部５の相対的な位置を、本体部２から強く拘束されることなく比較的自由に変化させることができる。それ故、美容器１は、本体部２が固定された状態においても、振動モータ４の振動を、モータ保持部５及びこれから延設されたブラシ取り付け部６に効率よく伝達することができる。
【００７６】
また、ブラシ取り付け部６は、振動モータ４における回転軸４２の軸心方向４２０と異なる方向に延設されている。そのため、振動モータ４により付与されるブラシ取り付け部６の振動は、回転軸４２の軸心方向４２０（前後方向Ｘ）への変位と、軸心方向４２０に直交する任意の方向（幅方向Ｙ、上下方向Ｚ）への変位とを組み合わせた複雑な変位を伴うものとなる。そして、この振動がブラシ取り付け部６を介してブラシ部３に効率よく伝わることにより、例えば図１３や図１４に示すように、毛穴Ｈの深さ方向（上下方向Ｚ）への変位と、この方向に直交する任意の方向（前後方向Ｘ、幅方向Ｙ）への変位とを組み合わせた複雑な振動を伴う振動をブラシ部３の毛先３１１に付与することができる。その結果、ブラシ部３により、肌の表面や毛穴の内部に付着している汚れ等を効率よく除去することができる。
【００７７】
さらに、本例においては、ブラシ取り付け部６は、軸心方向４２０に対して直角方向（上下方向Ｚ）に延設されている。そのため、上述したブラシ取り付け部６の振動における、軸心方向４２０に直交する任意の方向（幅方向Ｙ、上下方向Ｚ）への振幅をより大きくすることができるとともに、軸心方向４２０（前後方向Ｘ）への振幅が過度に大きくなることを抑制することができる。そのため、ブラシ部３の毛先３１１を、毛穴の深さ方向により大きく振動させることができる。そのため、ブラシ部３の毛先３１１と肌の表面との摩擦をより軽減しつつ、毛穴の内部に付着している汚れ等をより効率よく除去することができる。
【００７８】
図５〜図７に示すように、連結部１１は、本体部２とモータ保持部５との間に介在させた弾性部材５３を有している。そのため、振動モータ４を振動させた際にモータ保持部５が弾性部材５３から反発力を受け、ブラシ取り付け部６により効率よく振動を伝達することができる。その結果、ブラシ取り付け部６の振幅をより大きくすることができ、ひいては肌の表面や毛穴の内部に付着している汚れをより効率よく除去することができる。
【００７９】
また、連結部１１は、本体部２に設けられたガイド棒２４と、モータ保持部５に保持された弾性部材５３とを有しており、ガイド棒２４は、弾性部材５３を貫通している。そのため、モータ保持部５及びこれに連なるブラシ取り付け部６が、ガイド棒２４に沿って比較的自由に移動することができる。その結果、ガイド棒２４に沿う方向へのブラシ取り付け部６の振幅をより大きくすることができ、ひいては肌の表面や毛穴の内部に付着している汚れをより効率よく除去することができる。また、美容器１の組み立てをより容易に行うという効果を得ることもできる。
【００８０】
図４〜図６に示すように、美容器１は、３箇所の連結部１１を有している。そのため、振動モータ４やモータ保持部５の自重により各連結部１１に加わる荷重を軽減することができる。その結果、連結部１１の構造をより簡素にすることができ、ひいては美容器１をより容易に軽量化することができる。
【００８１】
３箇所の連結部１１のうち２箇所の連結部１１は、振動モータ４の重心に対して回転軸４２の軸心方向４２０における前方Ｘ１側に配置されており、残る１箇所の連結部１１は後方Ｘ２側に配置されている。また、ブラシ取り付け部６は、振動モータ４における回転軸４２の軸心方向４２０（前後方向Ｘ）に対して直角方向（上下方向Ｚ）に延設されている。さらに、振動モータ４として、シリンダ型の振動モータ４が採用されている。これらの結果、ブラシ取り付け部６の振動における、軸心方向４２０への変位（前後方向Ｘ）と、軸心方向４２０に直交する任意の方向（幅方向Ｙ、上下方向Ｚ）への変位とをバランスよく大きくすることができる。これにより、ブラシ部３の毛先により複雑な振動を付与することができる。その結果、肌の表面や毛穴の内部に付着している汚れ等をより効率よく除去することができる。
【００８２】
ブラシ取り付け部６は、これを回転中心とするブラシ部３の回転運動を規制する回転規制部６２２を有している。そのため、ブラシ部３の回転運動に伴って肌が擦られることを防止することができる。その結果、美容器１の使用中における肌への刺激をより低減することができる。
【００８３】
ブラシ部３は、ブラシ取り付け部６の延設方向に沿って延びた多数の繊維を有している。そのため、ブラシ取り付け部６の振動を効率よくブラシ部３の毛先に伝達することができる。その結果、肌の表面や毛穴の内部に付着している汚れ等をより効率よく除去することができる。
【００８４】
また、ブラシ部３は、多数の繊維からなるブラシ本体３１と、ブラシ本体３１を保持するブラシホルダー３２と、ブラシホルダー３２の外表面に配置されたブラシ電極３２５とを有している。本体部２は、内部に収容された電流生成部１２と、外表面に配置された本体電極１４とを有している。そして、ブラシ電極３２５と本体電極１４とが電流生成部１２を介して電気的に接続されている。
【００８５】
そのため、使用者が本体電極１４を把持するとともに、ブラシ電極３２５と肌との間に導電性を有する液状や泡状などの洗浄剤を介在させることにより、使用者、ブラシ電極３２５、電流生成部１２及び本体電極１４を含む閉回路を形成することができる。そして、この閉回路に微弱な電流を流すことにより、電荷を有する汚れ成分を肌からより容易に除去することができる。その結果、電荷を有する汚れ成分等をより効率よく除去することができる。
【００８６】
また、本体部２は棒状を呈しており、振動モータ４及びモータ保持部５は本体部２の長手方向における端部に収容されている。そのため、使用者が本体部２を容易に把持することができる。これにより、美容器１の使い勝手をより向上させることができる。
【００８７】
また、ブラシ部３は、本体部２の側周面に配置されている。そのため、使用者がブラシ部３の毛先を容易に肌に当接させることができる。これにより、美容器１の使い勝手をより向上させることができる。
【００８８】
（実施例２）
本例は、弾性部材の形状を変更した例である。なお、本実施例以降において用いる符号のうち、既出の実施例において用いた符号と同一のものは、特に説明のない限り、既出の実施例における構成要素等と同様の構成要素等を表す。本例の弾性部材５４は、図１７及び図１８に示すように、筒状を呈するゴム基部５４１と、ゴム基部５４１の開口端からその中心軸方向（上下方向Ｚ）に延設された一対のテーパ部５４２と、ゴム基部５４１とテーパ部５４２との境界から外方に突出した一対の鍔部５４３とを有している。
【００８９】
図１８に示すように、テーパ部５４２は、ゴム基部５４１の開口端を基端として、ゴム基部５４１から遠ざかるほどその中心軸方向に近づくように延設されている。また、テーパ部５４２の先端には、ガイド棒２４が挿通される開口部５４４が設けられている。
【００９０】
図１７に示すように、鍔部５４３は、ゴム基部５４１とテーパ部５４２との境界の全周に亘って設けられている。
【００９１】
図１８に示すように、弾性部材５４がモータベース５１に取り付けられた状態において、ゴム基部５４１は、板状部５１１の貫通孔５１３内に収容されている。また、板状部５１１は、一対の鍔部５４３の間に挟持されている。ガイド棒２４は、テーパ部５４２の開口部５４４を介して弾性部材５４の内部に挿入され、弾性部材５４を貫通している。ゴム基部５４１の内表面は、ガイド棒２４の外表面から離間している。
【００９２】
本例のように、ゴム基部５４１の内表面をガイド棒２４の外表面から離間させることにより、弾性部材５４が移動する際に生じるガイド棒２４との摩擦をより低減することができる。そのため、本例の弾性部材５４は、ガイド棒２４に沿う方向により自由に移動させることができる。そして、弾性部材５４が当該方向へ自由に移動することにより、当該方向へのブラシ取り付け部６の振幅をより大きくすることができ、ひいては当該方向へのブラシ部３の毛先３１１の振幅をより大きくすることができる。
【００９３】
また、テーパ部５４２は、比較的剛性が低いため、Ｅリング２４１や下側ハウジング２１と接触した際に容易に変形する。そして、テーパ部５４２が変形すると、ゴム基部５４１をＥリング２４１または下側ハウジング２１に更に接近させることができる。このように、ゴム基部５４１の両端にテーパ部５４２を設けることにより、弾性部材５４のガイド棒２４に沿う方向への振幅をより大きくすることができる。その結果、ガイド棒２４に沿う方向へのブラシ取り付け部６の振幅をより大きくすることができ、ひいては当該方向へのブラシ部３の毛先３１１の振幅をより大きくすることができる。
【００９４】
（実施例３）
本例は、充電台の形状を変更した例である。本例の充電台７０３は、図１９〜図２１に示すように、美容器１の後方端部１７の全周を覆うように構成された凹部７１３を有している。充電台７０３の内部には、送電コイル７２が収容されている。送電コイル７２は、美容器１の後方端部１７が凹部７１内に差し込まれた状態において、充電台７０３の壁部７１１及び下側ハウジング２１（図示略）を介して受電コイル部１３と対面する位置に配置されている。
【００９５】
本例のように、凹部７１３の形状を美容器１の後方端部１７の全周を覆う形状とすることにより、凹部７１３内に差し込まれた美容器１をより安定して保持することができる。
【００９６】
本発明に係る美容器は、上述した実施例の態様に限定されるものではなく、その趣旨を損なわない範囲で適宜構成を変更することができる。
【００９７】
例えば、上記の実施例においては、振動モータ４における回転軸４２の軸心方向と、ブラシ取り付け部６の延設方向とが直交している例を示したが、上記軸心方向と上記延設方向とのなす角度が９０°に限定されることはない。
また、ブラシ部３における繊維の延びる方向をブラシ取り付け部６の延設方向とは異なる方向にすることもできる。
【００９８】
連結部１１の数や配置は適宜変更することができる。
また、連結部１１として、ガイド棒２４と、リング状の弾性部材５３、５４とを有する構成の例を示したが、この構成に換えて、例えば上述したスナップフィット構造等を採用することもできる。この場合には、突起部を凹部に係合させるという単純な作業により、連結部１１を形成することができる。そのため、美容器１の組立作業を簡素化することができる。
【００９９】
ブラシ取り付け部６に設けた回転規制部６２２は、六角柱状以外の形状とすることもできる。また、回転規制部としては、ブラシ部３をブラシ取り付け部６に係合させることができる構成を採用することができる。例えば、筒状部６１またはシャフト６２から外方に突出させた突起であってもよい。この突起をブラシホルダー３２に係合させることにより、ブラシ部３の回転運動を規制することができる。
【０１００】
中間ハウジング２２に設けた本体電極１４及びブラシホルダー３２に設けたブラシ電極３２５は、省略することもできる。
本例の電源部１２２には二次電池を採用したが、二次電池に換えて一次電池を用いることも可能である。この場合には、受電コイル部１３を省略することができる。
また、電源部１２２に二次電池を用いる場合、本体部２に充電端子を設け、有線により充電を行う構成を採用してもよい。
【符号の説明】
【０１０１】
１  美容器
１１  連結部
２  本体部
３  ブラシ部
４  振動モータ
４１  偏心錘
４２  回転軸
４２０  軸心方向
５  モータ保持部
６  ブラシ取り付け部
【図１】
2017217209.tif 000003
【図２】
2017217209.tif 000004
【図３】
2017217209.tif 000005
【図４】
2017217209.tif 000006
【図５】
2017217209.tif 000007
【図６】
2017217209.tif 000008
【図７】
2017217209.tif 000009
【図８】
2017217209.tif 000010
【図９】
2017217209.tif 000011
【図１０】
2017217209.tif 000012
【図１１】
2017217209.tif 000013
【図１２】
2017217209.tif 000014
【図１３】
2017217209.tif 000015
【図１４】
2017217209.tif 000016
【図１５】
2017217209.tif 000017
【図１６】
2017217209.tif 000018
【図１７】
2017217209.tif 000019
【図１８】
2017217209.tif 000020
【図１９】
2017217209.tif 000021
【図２０】
2017217209.tif 000022
【図２１】
2017217209.tif 000023